(57)【要約】【課題】水や塵が内部に入り込むことを防止しつつ、外形を小さくすること。【解決手段】第１および第２のカバー１１０、１３０は、ケース１２０内を密閉するようにケースの１２０開口側の両端部の各々に取り付けられる。弾性部材１４０は、ケース１２０の開口側の各端部および第１、第２のカバー１１０、１３０の間に、ケース１２０の開口側の各端部に沿って、設けられている。連結部材は、ケース１２０の内側に設けられている。連結部材は、ケース１２０の各端部および第１、第２のカバー１１０、１３０の間で弾性部材１４０を圧縮するように、第１のカバー１１０および第２のカバー１３０の間を連結する。【選択図】      図１
2016207781.tif 000002
【特許請求の範囲】
【請求項１】
筒状に形成されたケースと、
前記ケース内を密閉するように前記ケースの開口側の両端部の各々に取り付けられる一対のカバーと、
前記ケースの開口側の各端部および前記カバーの間に、前記ケースの開口側の各端部に沿って、設けられた弾性部材と、
前記ケースの内側に設けられ、前記ケースの各端部および前記カバーの間で前記弾性部材を圧縮するように、前記一対のカバーの間を連結する連結部材とを備えた筐体構造。
【請求項２】
前記連結部材は、
一端部が前記一対のカバーの一方の内面に取り付けられ、前記一対のカバーの内面間に延在するように設けられる第１のサポート部材と、
前記一対のカバーの他方を前記第１のサポート部材の他端部との間で挟持するように、前記第１のサポート部材の他端部に取り付けられる第１の固定ネジとを有する請求項１に記載の筐体構造。
【請求項３】
前記第１の固定ネジと前記一対のカバーの他方との間に設けられた第２の弾性部材を備え、
前記第１の固定ネジを前記第１のサポート部材に取り付けることにより、前記第２の弾性部材が圧縮される請求項２に記載の筐体構造。
【請求項４】
前記第１のサポート部材の前記他端部と前記一対のカバーの他方の間に設けられた第３の弾性部材を備え、
前記第１の固定ネジを前記第１のサポート部材に取り付けることにより、前記第３の弾性部材が圧縮される請求項２または３に記載の筐体構造。
【請求項５】
前記連結部材は、
前記一対のカバーの内面間に延在するように設けられた第２のサポート部材と、
前記一対のカバーの一方を前記第２のサポート部材の一端部との間で挟持するように、前記第２のサポート部材の一端部に取り付けられる第２の固定ネジと、
前記一対のカバーの他方を前記第２のサポート部材の他端部との間で挟持するように、前記第２のサポート部材の他端部に取り付けられる第３の固定ネジとを有する請求項１に記載の筐体構造。
【請求項６】
前記第２の固定ネジと前記一対のカバーの一方との間に設けられた第４の弾性部材と、
前記第３の固定ネジと前記一対のカバーの他方との間に設けられた第５の弾性部材とを備え、
前記第２の固定ネジを前記第２のサポート部材の一端部に取り付けることにより、前記第４の弾性部材が圧縮され、
前記第３の固定ネジを前記第２のサポート部材の他端部に取り付けることにより、前記第５の弾性部材が圧縮される請求項５に記載の筐体構造。
【請求項７】
前記第２のサポート部材の一端部と前記一対のカバーの一方の間に設けられた第６の弾性部材と、
前記第２のサポート部材の他端部と前記一対のカバーの他方の間に設けられた第７の弾性部材とを備え、
前記第２の固定ネジを前記第２のサポート部材の一端部に取り付けることにより、前記第６の弾性部材が圧縮され、
前記第３の固定ネジを前記第２のサポート部材の他端部に取り付けることにより、前記第７の弾性部材が圧縮される請求項５または６に記載の筐体構造。
【請求項８】
前記カバーのうち、前記ケースの端面と向かい合う位置に形成された溝部を備え、
前記弾性部材は、前記溝部に収容される請求項１〜７のいずれか１項に記載の筐体構造。
【発明の詳細な説明】
【技術分野】
【０００１】
本発明は、筐体構造に関し、例えば、屋外で使用される電子機器に用いられるものに関する。
【背景技術】
【０００２】
一般的な筐体構造９００の構成について説明する。図１８および図１９は、一般的な筐体構造９００の構成を示す拡大断面図である。図１８は、図２２のＢ１−Ｂ１切断面における断面図を示す。図１９は、図１８のＢ２部の拡大図である。図２０は、一般的な筐体構造９００の構成を示す分解斜視図である。図２１は、一般的な筐体構造９００の構成を示す外見斜視図である。図２２は、一般的な筐体構造９００の構成を示す外観上面図である。図２３、図２４および図２５は、一般的な筐体構造９００の構成を示す詳細拡大図である。図２３は、図２０のＢ３部の拡大図である。図２４は、図２０のＢ４部の拡大図である。図２５は、図２０のＢ５部の拡大図である。
【０００３】
図２０に示されるように、一般的な筐体構造９００は、第１のカバー９１０と、ケース９２０と、第２のカバー９３０と、２つの弾性部材９４０とを備えている。
【０００４】
第１のカバー９１０および第２のカバー９３０は、平板状に形成されている。また、第１のカバー９１０の外面（図２０の紙面上側の面）上には、放熱用フィン９１１がそれぞれ形成されている。第２のカバー９３０の外面（図２０の紙面下側の面）上には、放熱用フィン９３１がそれぞれ形成されている。ケース９２０は、四角筒状に形成されている。また、ケース９２０の開口側の両端面には、フランジ９２２が形成されている。弾性部材９４０は、たとえばＯ（オー）リングであって、断面がＯ形の環状パッキンである。
【０００５】
図２０に示されるように、一般的な筐体構造９００は、第２のカバー９３０、弾性部材９４０、ケース９２０、弾性部材９４０および第１のカバー９１０の順に、順次重ね合わせされて構成される。このとき、図１８および図１９に示されるように、一方の弾性部材９４０は、フランジ９２２および第１のカバー９１０の下面の間で、挟持される。同様に、他方の弾性部材９４０は、フランジ９２２および第２のカバー９３０の上面の間で、挟持される。なお、図１８に示されるように、一方の弾性部材９４０は、第１のカバー９１０に形成された溝９１２に収容されている。同様に、他の弾性部材９４０は、第２のカバー９３０に形成された溝９３２に収容されている。
【０００６】
図１８および図１９に示されるように、第１のカバー９１０の外周部、フランジ９２２および第２のカバー９３０の外周部には、複数のネジ９５０が取り付けられる。図２３に示されるように、第１のカバー９１０の外周部には、複数のネジ穴９１３が形成されている。図２４に示されるように、第２のカバー９３０の外周部には、複数のネジ穴９３３が形成されている。さらに、図２５に示されるように、ケース９２０のフランジ９２２にもネジ穴９２３が形成されている。図１８に示されるように、ネジ９５０は、ネジ穴９１３、９２３、９３３に取り付けられる。これにより、第１のカバー９１０は、弾性部材９４０をフランジ９２２および第１のカバー９１０の下面の間で挟持した状態で、ケース９２０のフランジ９２２に固定される。同様に、第２のカバー９３０は、弾性部材９４０をフランジ９２２および第１のカバー９１０の下面の間で挟持した状態で、ケース９２０のフランジ９２２に固定される。この結果、一般的な筐体構造９００によれば、防水効果および防塵効果を奏することができる。すなわち、一般的な筐体構造９００によれば、筐体構造９００の内部に水や塵が入り込むことを抑止できる。
【０００７】
なお、本発明に関連する技術が、特許文献１に開示されている。
【先行技術文献】
【特許文献】
【０００８】
【特許文献１】実開平１−１２０６７８号公報
【発明の概要】
【発明が解決しようとする課題】
【０００９】
しかしながら、上述した一般的な筐体構造９００では、フランジ９２２および第１、第２のカバー９１０、９３０の間で弾性部材９４０を挟持した状態で、複数のネジ９５０により、第１のカバー９１０および第２のカバー９３０の外周部をフランジ９２２に固定していた。このとき、第１、第２のカバー９１０、９３０およびケース９２０の間の合わせ面に、弾性部材９４０の実装スペースと、ネジ９５０の固定部を確保する必要が生じる。第１のカバー９１０、第２のカバー９３０およびケース９２０の間のネジ９５０の固定は、弾性部材９４０の外方で行われていた。この結果、筐体構造９００の外形が大きくなるという問題があった。
【００１０】
本発明は、このような事情を鑑みてなされたものであり、本発明の目的は、水や塵が内部に入り込むことを防止しつつ、外形を小さくすることができる筐体構造を提供することにある。
【課題を解決するための手段】
【００１１】
本発明の筐体構造は、筒状に形成されたケースと、前記ケース内を密閉するように前記ケースの両端面の各々に取り付けられる一対のカバーと、前記ケースの各端面の外周部に沿って設けられ、前記ケースの各端面および前記カバーの間に設けられた弾性部材と、前記ケースの内側に設けられ、前記ケースの各端面および前記カバーの間で前記弾性部材を圧縮するように、前記一対のカバーの間を連結する連結部材とを備えている。
【発明の効果】
【００１２】
本発明にかかる筐体構造によれば、水や塵が内部に入り込むことを防止しつつ、外形を小さくすることができる。
【図面の簡単な説明】
【００１３】
【図１】本発明の第１の実施の形態における筐体構造の構成を示す拡大断面図である。
【図２】本発明の第１の実施の形態における筐体構造の構成を示す分解斜視図である。
【図３】本発明の第１の実施の形態における筐体構造の構成を示す外観斜視図である。
【図４】本発明の第１の実施の形態における筐体構造の構成を示す外観上面図である。
【図５】固定ネジの外観斜視図である。
【図６】サポート部材の外観斜視図である。
【図７】サポート部材の変形例の外観斜視図である。
【図８】本発明の第１の実施の形態における筐体構造の組み立て工程を説明するための図である。
【図９】本発明の第１の実施の形態における筐体構造の組み立て工程を説明するための図である。
【図１０】本発明の第１の実施の形態における筐体構造の組み立て工程を説明するための図である。
【図１１】本発明の第１の実施の形態における筐体構造の組み立て工程を説明するための図である。
【図１２】本発明の第１の実施の形態における筐体構造の組み立て工程を説明するための図である。
【図１３】本発明の第１の実施の形態における筐体構造の組み立て工程を説明するための図である。
【図１４】本発明の第２の実施の形態における筐体構造の構成を示す拡大断面図である。
【図１５】サポート部材の外観斜視図である。
【図１６】サポート部材の断面図である。
【図１７】サポート部材の変形例の断面図である。
【図１８】一般的な筐体構造の構成を示す拡大断面図である。
【図１９】一般的な筐体構造の構成を示す拡大断面図である。
【図２０】一般的な筐体構造の構成を示す分解斜視図である。
【図２１】一般的な筐体構造の構成を示す外見斜視図である。
【図２２】一般的な筐体構造の構成を示す外観上面図である。
【図２３】一般的な筐体構造の構成を示す詳細拡大図である。
【図２４】一般的な筐体構造の構成を示す詳細拡大図である。
【図２５】一般的な筐体構造の構成を示す詳細拡大図である。
【発明を実施するための形態】
【００１４】
＜第１の実施の形態＞
本発明の第１の実施の形態における筐体構造１００の構成について説明する。
【００１５】
図１は、筐体構造１００の構成を示す拡大断面図である。また、図１は、図４のＡ１−Ａ１切断面における断面図を示す。図２は、筐体構造１００の構成を示す分解斜視図である。図３は、筐体構造１００の構成を示す外観斜視図である。図４は、筐体構造１００の構成を示す外観上面図である。
【００１６】
図２に示されるように、筐体構造１００は、第１のカバー１１０と、ケース１２０と、第２のカバー１３０と、２つの弾性部材１４０と、４つ固定ネジ１５０と、４つのサポート部材１６０とを備えている。なお、固定ネジ１５０およびサポート部材１６０は、複数であれば、４つ未満でも、４つ以上でもよい。
【００１７】
図２、図３および図４に示されるように、第１のカバー１１０および第２のカバー１３０は、平板状に形成されている。また、第１のカバー１１０および第２のカバー１３０の一方の面上には、放熱用フィン１１１、１３１がそれぞれ形成されている。第１のカバー１１０および第２のカバー１３０は、ケース１２０の開口側の両端部１２１ａ、１２１ｂに、それぞれ取り付けられる。
【００１８】
図１に示されるように、第１のカバー１１０の下面の外周部には、溝部１１２が形成されている。同様に、第２のカバー１３０の上面の外周部には、溝部１３２が形成されている。これらの溝部１１２、１３２には、弾性部材１４０が収容される。
【００１９】
図１に示されるように、第１のカバー１１０の四隅には、開口穴１１３が形成されている。この開口穴１１３には、固定ネジ１５０が挿入される。
【００２０】
図１に示されるように、第２のカバー１３０の内面（上面）の四隅には、ネジ穴１３３が形成されている。ネジ穴１３３には、後述のスペーサ部材１６０の雄ネジ１６３が取り付けられる。ネジ穴１３３は、ネジタップとも呼ばれる。
【００２１】
なお、第１のカバー１１０および第２のカバー１２０の材料は、たとえば、アルミニウムやアルミニウム合金などの熱伝導性を有する金属が用いられる。第１および第２のカバー１１０、１３０は、本発明の一対のカバーに対応する。
【００２２】
放熱用フィン１１１は、第１のカバー１１０の上面から延出するように、形成されている。同様に、放熱用フィン１３１は、第２のカバー１３０の下面から延出するように、形成されている。
【００２３】
図２に示されるように、ケース１２０は、四角筒状に形成されている。ケース１２０の開口側の両端部１２１ａ、１２１ｂには、第１のカバー１１０および第２のカバー１３０がそれぞれ取り付けられる。ケースの材料には、たとえば、ポリカーボネート等の樹脂成形品や、アルミニウムやアルミニウム合金などの金属が用いられる。
【００２４】
弾性部材１４０は、たとえばＯ（オー）リングであって、断面がＯ形の環状パッキンである。図１に示されるように、２つの弾性部材１４０の一方は、ケース１２０の開口側の上端部１２１ａに沿って設けられ、第１のカバー１１０の下面とケース１２０の開口側の上端部１２１ａとの間に、設けられる。２つの弾性部材１４０の他方は、ケース１２０の開口側の下端部１２１ｂに沿って設けられ、第２のカバー１３０の下面とケース１２０の開口側の下端部１２１ｂとの間に、設けられる。弾性部材１４０は、伸縮可能で柔軟性を有する部材である。弾性部材１４０の材料には、天然ゴムや合成ゴム等が用いられる。弾性部材１４０は、本発明の弾性部材および第１の弾性部材に対応する。
【００２５】
図１および図２に示されるように、固定ネジ１５０およびサポート部材１６０は、ケース１２０の内側に設けられている。図１および図２の例では、固定ネジ１５０およびサポート部材１６０は、ケース１２０の内側の四隅にそれぞれ設けられている。固定ネジ１５０およびサポート部材１６０は、本発明の連結部材に相当する。また、サポート部材１６０は、本発明の第１のサポート部材に対応する。固定ネジ１５０およびサポート部材１６０は、ケースの開口側の各端部１２１ａ、１２１ｂおよび第１および第２のカバー１１０、１３０の間で弾性部材１４０を圧縮するように、第１および第２のカバー１１０、１３０の間を連結する。
【００２６】
図１に示されるように、固定ネジ１５０は、サポート部材１６０の上端部に取り付けられる。このとき、固定ネジ１５０の締め付けによって、第１のカバー１１０の外周部は、サポート部材１５０の上端部と、固定ネジ１５０との間で、挟持される。
【００２７】
図５は、固定ネジ１５０の外観斜視図である。図５に示されるように、固定ネジ１５０は、ネジ頭部１５１と、ネジ軸部１５２と、ワッシャー１５３と、弾性部材用カバー１５４と、ネジ用弾性部材１５５とを備えている。
【００２８】
ネジ頭部１５１は、ネジ軸部１５２の上端部に取り付けられている。ネジ頭部１５１の上面には、溝１５１ａが形成されている。この溝１５１ａには、たとえばドライバー工具の先端部が嵌め込まれる。ネジ頭部１５１の材料には、たとえば、ステンレス（ＳＵＳ３０３）等の金属材料や、ポリカーボネート等の樹脂材料などが用いられる。
【００２９】
ネジ軸部１５２は、円柱状に形成されている。ネジ軸部１５２の上端部は、ネジ頭部１５１に接続されている。ネジ軸部１５２は、不完全ネジ部１５２ａと、雄ネジ部１５２ｂとを備えている。ネジ軸部１５２の材料には、たとえば、ステンレス（ＳＵＳ３０３）等の金属材料や、ポリカーボネート等の樹脂材料などが用いられる。
【００３０】
不完全ネジ部１５２ａは、ネジ軸部１５２の根元部側に形成されている。すなわち、不完全ネジ部１５２はネジ軸部１５２のうち、ネジ頭部１５１側に、形成されている。この不完全ネジ部１５２ａには、ネジ山およびネジ溝が形成されていない。雄ネジ部１５２ｂは、ネジ軸部１５２の先端部側に形成されている。雄ネジ部１５２ｂには、ネジ山およびネジ溝が形成されている。
【００３１】
ワッシャー１５３は、ネジ軸部１５２の根元部側に取り付けられている。また、ワッシャー１５３は、ネジ頭部１５１および弾性部材用カバー１５４の間に、取り付けられている。ワッシャー１５３は、たとえば、リング状の板金により構成される。ワッシャー１５３の材料には、たとえば、りん青銅等の金属材料などが用いられる。
【００３２】
弾性部材用カバー１５４は、ネジ軸部１５２の根元部側に取り付けられている。また、弾性部材用カバー１５４は、ワッシャー１５３およびネジ用弾性部材１５５の間に、ネジ用弾性部材１５５の上面側を覆うように、取り付けられている。弾性部材用カバー１５４の材料には、たとえば、ステンレス（ＳＵＳ３０３）等の金属材料や、ポリカーボネート等の樹脂材料などが用いられる。
【００３３】
ネジ用弾性部材１５５は、ネジ軸部１５２の根元部側に取り付けられている。また、ネジ用弾性部材１５５は、弾性部材用カバー１５４の下側に設けられている。ネジ用弾性部材１５５の上面側は、弾性部材用カバー１５４に覆われている。これにより、ネジ用弾性部材１５５が、ネジ軸部１５２から外れることを抑止できる。ネジ用弾性部材１５５は、たとえばＯ（オー）リングであって、断面がＯ形の環状パッキンである。ネジ用弾性部材１５５は、伸縮可能で柔軟性を有する部材である。ネジ用弾性部材１５５の材料には、天然ゴムや合成ゴム等が用いられる。ネジ用弾性部材１５５は、本発明の弾性部材および第１の弾性部材に対応する。
【００３４】
図１に示されるように、サポート部材１６０の下端部は、第２のカバー１３０の内面（上面）に取り付けられている。サポート部１６０は、第１のカバー１１０および第２のカバー１３０の内面間に延在するように設けられている。サポート部材１６０の材料には、たとえば、ステンレス（ＳＵＳ３０３）等の金属材料や、ポリカーボネート等の樹脂材料などが用いられる。サポート部材１６０は、本発明の第１のサポート部材に対応する。
【００３５】
図６は、サポート部材１６０の外観斜視図である。図６に示されるように、サポート部材１６０は、サポート軸部１６１と、雌ネジ部１６２と、雄ネジ部１６３とを備えている。
【００３６】
図６に示されるように、サポート軸部１６１は、円柱状に形成されている。図１に示されるように、サポート軸部１６１の長さは、ケース１２０の高さに対応している。また、サポート軸部１６１の長さは、第１のカバー１１０の内面と、第２のカバー１３０の内面との間の長さに対応している。
【００３７】
図６に示されるように、雌ネジ部１６２は、サポート軸部１６１の上端部の内側に形成されている。図１に示されるように、雌ネジ部１６２には、固定ネジ１５０のネジ軸部１５２が、取り付けられる。より具体的には、固定ネジ１５０のネジ軸部１５２の雄ネジ部１５２ｂが雌ネジ部１６２に螺合される。これにより、固定ネジ１５０がサポート部材１６０に固定される。
【００３８】
図６に示されるように、雄ネジ部１６３は、サポート軸部１６１の下端部の外側に形成されている。図１に示されるように、雄ネジ部１６３は、第２のカバー１３０の内面に形成されたネジ穴１３３に取り付けられる。これにより、サポート部材１６０は、第２のカバー１３０に固定される。
【００３９】
次に、サポート部材１６０の変形例について、説明する。図７は、サポート部材１６０の変形例の外観斜視図である。ここで、サポート部材１６０の変形例を、サポート部材１６０Ａとする。サポート部材１６０Ａは、サポート部材１６０と同様に、本発明の第１のサポート部材に対応する。
【００４０】
図７に示されるように、サポート部材１６０Ａは、サポート軸部１６１と、雌ネジ部１６２と、雄ネジ部１６３と、サポート部材用弾性部材１６４とを備えている。
【００４１】
ここで、図６と図７を用いて、サポート部材１６０とサポート部材１６０Ａを対比する。図６に示されるように、サポート部材１６０は、サポート部材用弾性部材１６４を有していない。これに対して、図７に示されるように、サポート部材１６０Ａは、サポート部材用弾性部材１６４を有している。この点で、両者は互いに相違する。
【００４２】
図７に示されるように、サポート部材用弾性部材１６４は、サポート軸部１６１の上端部の雌ネジ部１６２の外周部に沿ってリング状に取り付けられている。筐体構造１００を組み立てた後において、このサポート部材用弾性部材１６４は、サポート部材１６０Ａの上端部と、第１のカバー１１０の内面の間に設けられる。そして、固定ネジ１５０をサポート部材１６０に取り付けることにより、サポート部材用弾性部材１６４は圧縮される。これにより、サポート部材１６０Ａの上端部と、第１のカバー１１０の内面の間の隙間から、水や塵が入り込むことを防止することができる。
【００４３】
サポート部材用弾性部材１６４は、たとえばＯ（オー）リングであって、断面がＯ形の環状パッキンである。サポート部材用弾性部材１６４は、伸縮可能で柔軟性を有する部材である。サポート部材用弾性部材１６４の材料には、天然ゴムや合成ゴム等が用いられる。サポート部材用弾性部材１６４は、本発明の第３の弾性部材に対応する。
【００４４】
以上、筐体構造１００の構成について、説明した。
【００４５】
次に、筐体構造１００の組み立て方法について、説明する。図８〜図１３は、筐体構造１０の組み立て方法を説明するための図である。なお、図１０は、図９のＡ２部の拡大図である。図１３は、図１２のＡ３部の拡大図である。
【００４６】
図８は、第２のカバー１３０の内面側を示す。図８に示されるように、まず、弾性部材１４０を第２のカバー１３０の溝部１３２に取り付ける。
【００４７】
次に、図９および図１０に示されるように、サポート部材１６０を第２のカバー１３０の内面の四隅に取り付ける。具体的には、第２のカバー１３０の内面の四隅で、サポート部材１６０の雄ネジ部１６３を第２のカバー１３０のネジ穴１３３に取り付ける。これにより、サポート部材１６０が、第２のカバー１３０に固定される。
【００４８】
次に、図１１に示されるように、ケース１２０を第２のカバー１３０の内面の外周部に取り付ける。具体的には、ケース１２０の開口側の端部を、第２のカバー１３０の溝部１３２に嵌め込む。これにより、弾性部材１４０は、ケース１２０の開口側の端部および第２のカバー１３０の間で圧縮される。
【００４９】
次に、図８を用いて説明した内容と同様に、弾性部材１４０を第１のカバー１１０の溝部１１２に取り付ける。そして、図１２に示されるように、ケース１２０を第１のカバー１１０の内面の外周部に取り付ける。具体的には、ケース１２０の開口側の端部を、第１のカバー１１０の溝部１１２に嵌め込む。最後に、固定ネジ１５０をサポート部材１６０の雌ネジ部１６２に取り付ける。この状態で、連結部材としての固定ネジ１５０とサポート部材１６０とが、ケース１２０の各端部と第１、第２のカバー１２０、１３０の間で弾性部材１４０を圧縮するように、第１のカバー１１０および第２のカバー１３０の間を連結する。
【００５０】
これにより、２つの弾性部材１４０の一方は、ケース１２０の開口側の端部および第１のカバー１１０の間で圧縮される。この結果、ケース１２０の開口側の端部および第１のカバー１１０の間に隙間が生じることを防止できる。したがって、ケース１２０の開口側の端部および第１のカバー１１０の間から、水や塵が入り込むことを防止できる。
【００５１】
また、２つの弾性部材１４０の他方は、ケース１２０の開口側の端部および第２のカバー１３０の間で圧縮される。この結果、ケース１２０の開口側の端部および第２のカバー１３０の間に隙間が生じることを防止できる。したがって、ケース１２０の開口側の端部および第２のカバー１３０の間から、水や塵が入り込むことを防止できる。
【００５２】
また、ネジ用弾性部材１５５が、ネジ頭部１５１と、第１のカバー１１０の外面（上面、図１の紙面上側の面）と間に、設けられている。そして、スペーサ部材１５０の雄ネジ部１６３が第２のカバー１３０の内面に取り付けられ、固定ネジ１５０がスペーサ部材１５０の雌ネジ部１６２に取り付けられる。これにより、ネジ用弾性部材１５５が、ネジ頭部１５１と、第１のカバー１１０の外面と間で、圧縮される。
【００５３】
これにより、ネジ頭部１５１と、第１のカバー１１０の外面と間に隙間が生じることを防止できる。したがって、ネジ頭部１５１と、第１のカバー１１０の外面と間から、水や塵が入り込むことを防止できる。
【００５４】
また、不完全ネジ部１５２ａが固定ネジ１５０のネジ軸部１５２に設けられている。このため、ネジ用弾性部材１５５が、ネジ頭部１５１と、第１のカバー１１０の外面の双方に、密着された状態で、ネジ頭部１５１と、第１のカバー１１０の外面と間で圧縮される。これにより、ネジ頭部１５１と、第１のカバー１１０の外面と間に隙間が生じることをより確実に防止できる。したがって、ネジ頭部１５１と、第１のカバー１１０の外面と間から、水や塵が入り込むことをより確実に防止できる。
【００５５】
以上、筐体構造１００の組み立て方法について、説明した。
【００５６】
以上の通り、本発明の第１の実施の形態における筐体構造１００は、ケース１２０と、一対のカバー（第１および第２のカバー１１０、１３０）と、弾性部材１４０と、連結部材（固定ネジ１５０、サポート部材１６０）とを備えている。ケース１２０は、筒状に形成されている。一対のカバー（第１および第２のカバー１１０、１３０）は、ケース１２０内を密閉するようにケースの１２０開口側の両端部の各々に取り付けられる。弾性部材１４０は、ケース１２０の開口側の各端部および第１、第２のカバー１１０、１３０の間に、ケース１２０の開口側の各端部に沿って、設けられている。すなわち、２つの弾性部材１４０の一方は、ケース１２０の開口側の一端部および第１のカバー１１０の間に、ケース１２０の開口側の一端部に沿って、設けられている。２つの弾性部材１４０の他方は、ケース１２０の開口側の他端部および第２のカバー１３０の間に、ケース１２０の開口側の他端部に沿って、設けられている。連結部材は、ケース１２０の内側に設けられている。連結部材は、ケース１２０の各端部および第１、第２のカバー１１０、１３０の間で弾性部材１４０を圧縮するように、第１のカバー１１０および第２のカバー１３０の間を連結する。
【００５７】
このように、連結部材（固定ネジ１５０とサポート部材１６０）が、ケース１２０の各端部と第１、第２のカバー１２０、１３０の間で弾性部材１４０を圧縮するように、第１のカバー１１０および第２のカバー１３０の間を連結する。
【００５８】
これにより、弾性部材１４０は、ケース１２０の開口側の端部および第１のカバー１１０の間で圧縮される。この結果、ケース１２０の開口側の端部および第１のカバー１１０の間に隙間が生じることを防止できる。したがって、ケース１２０の開口側の端部および第１のカバー１１０の間から、水や塵が入り込むことを防止できる。
【００５９】
また、弾性部材１４０は、ケース１２０の開口側の端部および第２のカバー１３０の間で圧縮される。この結果、ケース１２０の開口側の端部および第２のカバー１３０の間に隙間が生じることを防止できる。したがって、ケース１２０の開口側の端部および第２のカバー１３０の間から、水や塵が入り込むことを防止できる。
【００６０】
また、連結部材は、ケース１２０の内側に設けられている。これにより、筐体構造１００の外形を小さくすることができる。
【００６１】
前述の通り、一般的な筐体構造９００では、図１８〜図２５を用いて説明したように、フランジ９２２および第１、第２のカバー９１０、９３０の間で弾性部材９４０を挟持した状態で、複数のネジ９５０により、第１のカバー９１０および第２のカバー９３０の外周部をフランジ９２２に固定していた。すなわち、第１のカバー９１０、第２のカバー９３０およびケース９２０の間のネジ９５０の固定は、弾性部材９４０の外方で行われていた。このため、第１、第２のカバー９１０、９３０およびケース９２０の間の合わせ面に、弾性部材９４０の実装スペースと、ネジ９５０の固定部を確保する必要が生じる。この結果、筐体構造９００の外形が大きくなるという問題があった。
【００６２】
これに対して、本発明の第１の実施の形態における筐体構造１００では、ケース１２０にフランジを形成しないで、連結部材（固定ネジ１５０とサポート部材１６０）が、ケース１２０の内側で、第１のカバー１１０および第２のカバー１３０の間を連結する。すなわち、第１のカバー１１０、第２のカバー１３０およびケース１２０の間の連結部材による固定は、ケース１２０および弾性部材１４０の内側で行われていた。このため、筐体構造１００自体の外形を小さくすることができる。
【００６３】
したがって、筐体構造１００によれば、水や塵が内部に入り込むことを防止しつつ、外形を小さくすることができる。
【００６４】
前述の通り、一般的な筐体構造９００では、図１８〜図２５を用いて説明したように、第１、第２のカバー９１０、９３０およびケース９２０の間の合わせ面が弾性部材９４０の反発力によって弾性変形することにより、水や塵が筐体構造９００内に入り込まないように、ネジ９５０の固定部を多く設ける必要があった。このため、部品点数が多くなり、組み立て工数も多くなるという問題もあった。
【００６５】
これに対して、本発明の第１の実施の形態における筐体構造１００では、連結部材（固定ネジ１５０とサポート部材１６０）が、ケース１２０の各端部と第１、第２のカバー１２０、１３０の間で弾性部材１４０を圧縮するように、ケース１２０の内側（四隅）で、第１のカバー１１０および第２のカバー１３０の間を連結する。これにより、一般的な筐体構造９００と比較して、第１のカバー１１０、第２のカバー１３０およびケース１２０の間を連結する部材の設置箇所を減らすことができる。この結果、筐体構造１００によれば、一般的な筐体構造９００と比較して、部品点数を減らすことができる。これに伴って、一般的な筐体構造９００と比較して、部品コストや組み立て工数を削減することができる。
【００６６】
また、一般的な筐体構造９００では、放熱フィン９１１、９３１を第１、第２のカバー９１０、９３０に形成して、第１、第２のカバー９１０、９３０にラジエータ機能を持たせようとする場合、図２３および図２５に示されるように、放熱フィン９１１、９３１の一部を削除する加工をして、ネジ９５０の固定部を形成する必要があった。このため、部品加工時間が増し、部品コストが高くなるという問題もあった。
【００６７】
これに対して、本発明の第１の実施の形態における筐体構造１００では、連結部材（固定ネジ１５０とサポート部材１６０）が、ケース１２０の内側（四隅）で、第１のカバー１１０および第２のカバー１３０の間を連結する。すなわち、筐体構造１００では、一般的な筐体構造９００と比較して、第１のカバー１１０、第２のカバー１３０およびケース１２０の間を連結する部材の設置箇所を減らすことができる。これにより、一般的な筐体構造９００と比較して、第１のカバー１１０、第２のカバー１３０およびケース１２０の間を連結する部材を取り付けるために、第１のカバー１１０や第２のカバー１３０の放熱フィン１１１、１３１を削除する２次加工を行う必要性を、一般的な筐体構造９００と比較して、低減することができる。この結果、第１のカバー１１０および第２のカバー１３０の２次加工のコストを削減することができる。
【００６８】
また、本発明の第１の実施の形態における筐体構造１００において、連結部材は、第１のサポート部材（サポート部材１６０）と、第１の固定ネジ（固定ネジ１５０）とを有する。サポート部材１６０は、一端部が一対のカバー（第１および第２のカバー１１０、１３０）の一方（第２のカバー１３０）の内面に取り付けられている。また、サポート部材１６０は、一対のカバー（第１および第２のカバー１１０、１３０）の内面間に延在するように設けられている。固定ネジ１５０は、一対のカバー（第１および第２のカバー１１０、１３０）の他方（第１のカバー１３０）を第１のサポート部材（サポート部材１６０）の他端部との間で挟持するように、第１のサポート部材の他端部に取り付けられる。
【００６９】
このように、連結部材を、サポート部材１６０および固定ネジ１５０の２つの部材で、構成することにより、筐体構造１００の組み立てが容易になる。すなわち、サポート部材１６０の一端部を第２のカバー１３０の内面に取り付けることにより、サポート部材１６０は第１および第２のカバー１３０の内面間に延在するように設けられる。このため、さらに第１のカバー１１０をケース１２０に取り付けた際に、固定ネジ１５０の取り付け箇所であるスペーサ部材１６０の他端部の雌ネジ部１６２を確認しながら、固定ネジ１５０をスペーサ部材１６０に取り付けることができる。したがって、上述のように、筐体構造１００の組み立てが容易になる。
【００７０】
また、本発明の第１の実施の形態における筐体構造１００は、第２の弾性部材（ネジ用弾性部材１５５）を備えている。ネジ用弾性部材１５５は、第１の固定ネジ（固定ネジ１５０）と一対のカバー（第１および第２のカバー１１０、１３０）の他方（第１のカバー１３０）との間に設けられている。また、固定ネジ１５０を第１のサポート部材（サポート部材１６０）に取り付けることにより、ネジ用弾性部材１５５が圧縮される。
【００７１】
これにより、ネジ用弾性部材１５５が、固定ネジ１５０（特にネジ頭部１５１）と、第１のカバー１１０の外面と間で圧縮される。この結果、ネジ頭部１５１と、第１のカバー１１０の外面と間に隙間が生じることを防止できる。したがって、ネジ頭部１５１と、第１のカバー１１０の外面と間から、水や塵が入り込むことを防止できる。
【００７２】
また、本発明の第１の実施の形態における筐体構造１００は、第３の弾性部材（サポート部材用弾性部材１６４）を備えている。サポート部材用弾性部材１６４は、第１のサポート部材（サポート部材１６０Ａ）の他端部と一対のカバー（第１および第２のカバー１１０、１３０）の他方（第１のカバー１１０）の間に設けられている。また、第１の固定ネジ１５０を第１のサポート部材（サポート部材１６０Ａ）に取り付けることにより、サポート部材用弾性部材１６４が圧縮される。
【００７３】
このように、サポート部材用弾性部材１６４は、サポート部材１６０Ａと、第１のカバー１１０の間に設けられる。そして、固定ネジ１５０をサポート部材１６０に取り付けることにより、サポート部材用弾性部材１６４は圧縮される。これにより、サポート部材１６０Ａと、第１のカバー１１０の間の隙間から、水や塵が入り込むことを防止することができる。
【００７４】
本発明の第１の実施の形態における筐体構造１００は、溝部１１２、１３２を有する。溝部１１２、１３２は、第１および第２のカバー１１０、１３０のうち、ケース１２０の端面と向かい合う位置に形成されている。弾性部材１４０は、溝部１１２、１３２に収容されている。このように、第１および第２のカバー１１０、１３０に溝部１１２、１３２を設けることにより、弾性部材１４０を第１および第２のカバー１１０、１３０に簡単にかつ正確に取り付けることができる。
【００７５】
＜第２の実施の形態＞
本発明の第２の実施の形態における筐体構造１００Ａの構成について説明する。
【００７６】
図１４は、筐体構造１００Ａの構成を示す拡大断面図である。また、図１４は、図４のＡ１−Ａ１切断面における断面図に相当する。
【００７７】
図１４に示されるように、筐体構造１００Ａは、第１のカバー１１０と、ケース１２０と、第２のカバー１３０と、２つの弾性部材１４０と、固定ネジ１５０と、サポート部材１６０Ｂとを備えている。なお、第１の実施の形態と同様に、サポート部材１６０Ｂは、４つである。一方、固定ネジ１５０は８つである。
【００７８】
ここで、図１と図１４を対比する。図１では、連結部材は、１つの固定ネジ１５０と、１つのサポート部材１６０により構成されていた。これに対して、図１４では、連結部材は、２つの固定ネジ１５０と、１つのサポート部材１６０Ｂにより構成されている。この点て、両者は互いに相違する。
【００７９】
図１４に示されるように、２つの固定ネジ１５０およびサポート部材１６０Ｂは、ケース１２０の内側に設けられている。こことき、図２の例と同様に、２つの固定ネジ１５０およびサポート部材１６０Ｂは、ケース１２０の内側の四隅にそれぞれ設けられている。２つの固定ネジ１５０およびサポート部材１６０Ｂは、本発明の連結部材に相当する。また、サポート部材１６０Ｂは、本発明の第２のサポート部材に対応する。図１４の紙面上側の固定ネジ１５０は、本発明の第３の固定ネジに相当する。図１４の紙面下側の固定ネジ１５０は、本発明の第２の固定ネジに相当する。
【００８０】
２つの固定ネジ１５０およびサポート部材１６０Ｂは、ケース１２０の開口側の各端部１２１ａ、１２１ｂおよび第１および第２のカバー１１０、１３０の間で弾性部材１４０を圧縮するように、第１および第２のカバー１１０、１３０の間を連結する。
【００８１】
図１４に示されるように、２つの固定ネジ１５０の一方（第２の固定ネジ）は、サポート部材１６０Ｂの下端部の雌ネジ部１６２に取り付けられる。このとき、固定ネジ１５０の締め付けによって、第２のカバー１３０の外周部は、サポート部材１６０Ｂの下端部と、固定ネジ１５０との間で、挟持される。同様に、２つの固定ネジ１５０の他方（第３の固定ネジ）は、サポート部材１６０Ｂの上端部の雌ネジ部１６２に取り付けられる。このとき、固定ネジ１５０の締め付けによって、第１のカバー１１０の外周部は、サポート部材１６０Ｂの上端部と、固定ネジ１５０との間で、挟持される。
【００８２】
図１４に示されるように、サポート部材１６０Ｂの下端部は、第２のカバー１３０の内面（上面）に取り付けられている。サポート部材１６０Ｂの上端部は、第１のカバー１１０の内面（下面）に取り付けられている。また、サポート部材１６０Ｂは、ケース１２０の内側に設けられている。サポート部１６０Ｂは、第１のカバー１１０および第２のカバー１３０の内面間に延在するように設けられている。サポート部材１６０Ｂの材料には、たとえば、ステンレス（ＳＵＳ３０３）等の金属材料や、ポリカーボネート等の樹脂材料などが用いられる。サポート部材Ｂ１６０は、本発明の第２のサポート部材に対応する。
【００８３】
図１５は、サポート部材１６０Ｂの外観斜視図である。図１６は、サポート部材１６０Ｂの断面図である。図１５および図１６に示されるように、サポート部材１６０Ｂは、サポート軸部１６１と、２つの雌ネジ部１６２とを備えている。
【００８４】
図１５および図１６に示されるように、サポート軸部１６１は、円柱状に形成されている。図１４に示されるように、サポート軸部１６１の長さは、第１のカバー１１０の内面と、第２のカバー１３０の内面との間の長さに対応している。
【００８５】
図１６に示されるように、雌ネジ部１６２は、サポート軸部１６１の上端部および下端部の内側に形成されている。図１４に示されるように、各雌ネジ部１６２には、固定ネジ１５０のネジ軸部１５２の雄ネジ部１５２ｂが、取り付けられる。
【００８６】
次に、サポート部材１６０Ｂの変形例について、説明する。図１７は、サポート部材１６０Ｂの変形例の外観斜視図である。ここで、サポート部材１６０Ｂの変形例をサポート部材１６０Ｃとする。サポート部材１６０Ｃは、サポート部材１６０Ｂと同様に、本発明の第２のサポート部材に対応する。
【００８７】
図１７に示されるように、サポート部材１６０Ｃは、サポート軸部１６１と、２つの雌ネジ部１６２と、２つのサポート部材用弾性部材１６４とを備えている。
【００８８】
ここで、図１６と図１７を用いて、サポート部材１６０Ｂとサポート部材１６０Ｃを対比する。図１６に示されるように、サポート部材１６０Ｂは、サポート部材用弾性部材１６４を有していない。これに対して、図１７に示されるように、サポート部材１６０Ｃは、２つのサポート部材用弾性部材１６４を有している。この点で、両者は互いに相違する。
【００８９】
図１７に示されるように、２つのサポート部材用弾性部材１６４のうち一方は、サポート軸部１６１の上端部の雌ネジ部１６２の外周部に沿ってリング状に取り付けられている。２つのサポート部材用弾性部材１６４のうち他方は、サポート軸部１６１の下端部の雌ネジ部１６２の外周部に沿ってリング状に取り付けられている。
【００９０】
筐体構造１００を組み立てた後において、２つのサポート部材用弾性部材１６４のうち一方は、サポート部材１６０Ｃの上端部と、第１のカバー１１０の内面の間に設けられる。そして、固定ネジ１５０をサポート部材１６０Ｃに取り付けることにより、サポート部材用弾性部材１６４は圧縮される。これにより、サポート部材１６０Ｃの上端部と、第１のカバー１１０の内面の間の隙間から、水や塵が入り込むことを防止することができる。
【００９１】
同様に、筐体構造１００を組み立てた後において、２つのサポート部材用弾性部材１６４のうち他方は、サポート部材１６０Ｃの下端部と、第２のカバー１３０の内面の間に設けられる。そして、固定ネジ１５０をサポート部材１６０Ｃに取り付けることにより、サポート部材用弾性部材１６４は圧縮される。これにより、サポート部材１６０Ｃの下端部と、第２のカバー１３０の内面の間の隙間から、水や塵が入り込むことを防止することができる。２つのサポート部材用弾性部材１６４のうち一方（図１７紙面下側のサポート部材用弾性部材１６４）は、本発明の第６の弾性部材に対応する。２つのサポート部材用弾性部材１６４のうち他方（図１７紙面上側のサポート部材用弾性部材１６４）は、本発明の第７の弾性部材に対応する。
【００９２】
以上、筐体構造１００Ａの構成について、説明した。
【００９３】
次に、筐体構造１００Ａの組み立て方法について、説明する。ここでは、第１の実施の形態の説明で用いた図８〜図１３を引用する。
【００９４】
図８を用いて説明した内容と同様に、まず、弾性部材１４０を第２のカバー１３０の溝部１３２に取り付ける。
【００９５】
次に、図９および図１０を用いて説明した内容と同様に、サポート部材１６０Ｂを第２のカバー１３０の内面の四隅に取り付ける。具体的には、第２のカバー１３０の内面の四隅で、２つの固定ネジ１５０の一方（第２の固定ネジ）を、サポート部材１６０Ｂの下端部の雌ネジ部１６２に取り付ける。この固定ネジ１５０の締め付けによって、第２のカバー１３０の外周部は、サポート部材１６０Ｂの下端部と、固定ネジ１５０との間で、挟持される。そして、サポート部材１６０Ｂは、第２のカバー１３０の内面に固定される。
【００９６】
次に、図１１を用いて説明した内容と同様に、ケース１２０を第２のカバー１３０の内面の外周部に取り付ける。具体的には、ケース１２０の開口側の端部を、第２のカバー１３０の溝部１３２に嵌め込む。これにより、弾性部材１４０は、ケース１２０の開口側の端部および第２のカバー１３０の間で圧縮される。
【００９７】
次に、図８を用いて説明した内容と同様に、弾性部材１４０を第１のカバー１１０の溝部１１２に取り付ける。そして、図１２を用いて説明した内容と同様に、ケース１２０を第１のカバー１１０の内面の外周部に取り付ける。具体的には、ケース１２０の開口側の端部を、第１のカバー１１０の溝部１１２に嵌め込む。これにより、弾性部材１４０は、ケース１２０の開口側の端部および第１のカバー１１０の間で圧縮される。
【００９８】
最後に、２つの固定ネジ１５０の他方（第３の固定ネジ）を、サポート部材１６０Ｂの上端部の雌ネジ部１６２に取り付ける。この状態で、連結部材としての２つの固定ネジ１５０とサポート部材１６０Ｂとが、ケース１２０の各端部と第１、第２のカバー１２０、１３０の間で弾性部材１４０を圧縮するように、第１のカバー１１０および第２のカバー１３０の間を連結する
これにより、２つの弾性部材１４０の一方は、ケース１２０の開口側の端部および第１のカバー１１０の間で圧縮される。この結果、ケース１２０の開口側の端部および第１のカバー１１０の間に隙間が生じることを防止できる。したがって、ケース１２０の開口側の端部および第１のカバー１１０の間から、水や塵が入り込むことを防止できる。
【００９９】
また、２つの弾性部材１４０の他方は、ケース１２０の開口側の端部および第２のカバー１３０の間で圧縮される。この結果、ケース１２０の開口側の端部および第２のカバー１３０の間に隙間が生じることを防止できる。したがって、ケース１２０の開口側の端部および第２のカバー１３０の間から、水や塵が入り込むことを防止できる。
【０１００】
また、ネジ用弾性部材１５５が、ネジ頭部１５１と、第１のカバー１１０の外面（上面、図１４の紙面上側の面）と間に、設けられている。同様に、ネジ用弾性部材１５５が、ネジ頭部１５１と、第２のカバー１３０の外面（下面、図１４の紙面下側の面）と間に、設けられている。これにより、ネジ頭部１５１と、第１のカバー１１０の外面と間に隙間が生じることを防止できる。したがって、ネジ頭部１５１と、第１のカバー１１０の外面と間から、水や塵が入り込むことを防止できる。同様に、ネジ頭部１５１と、第２のカバー１３０の外面と間に隙間が生じることを防止できる。したがって、ネジ頭部１５１と、第２のカバー１３０の外面と間から、水や塵が入り込むことを防止できる。
【０１０１】
また、不完全ネジ部１５２ａが固定ネジ１５０のネジ軸部１５２に設けられている。このため、ネジ用弾性部材１５５が、ネジ頭部１５１と、第１のカバー１１０の外面の双方に、密着された状態で、ネジ頭部１５１と、第１のカバー１１０の外面と間で圧縮される。これにより、ネジ頭部１５１と、第１のカバー１１０の外面と間に隙間が生じることをより確実に防止できる。したがって、ネジ頭部１５１と、第１のカバー１１０の外面と間から、水や塵が入り込むことをより確実に防止できる。
【０１０２】
同様に、ネジ用弾性部材１５５が、ネジ頭部１５１と、第２のカバー１１０の外面の双方に、密着された状態で、ネジ頭部１５１と、第２のカバー１３０の外面と間で圧縮される。これにより、ネジ頭部１５１と、第２のカバー１３０の外面と間に隙間が生じることをより確実に防止できる。したがって、ネジ頭部１５１と、第２のカバー１３０の外面と間から、水や塵が入り込むことをより確実に防止できる。
【０１０３】
以上、筐体構造１００の組み立て方法について、説明した。
【０１０４】
以上の通り、本発明の第２の実施の形態における筐体構造１００Ａにおいて、連結部材は、第２のサポート部材（サポート部材１６０Ｂ）と、第２の固定ネジ（図１４紙面下側の固定ネジ１５０）と、第３の固定ネジ（図１４紙面上側の固定ネジ１５０）とを有する。
第２のサポート部材（サポート部材１６０Ｂ）は、一対のカバー（第１および第２のカバー１１０、１３０）の内面間に延在するように設けられている。第２の固定ネジ（図１４紙面下側の固定ネジ１５０）は、第１および第２のカバー１１０、１３０の一方（第２のカバー１３０）をサポート部材１６０Ｂの一端部（図１４紙面にて下端部）との間で挟持するように、サポート部材１６０Ｂの一端部に取り付けられる。第３の固定ネジ（図１４紙面上側の固定ネジ１５０）は、第１および第２のカバー１１０、１３０の他方（第１のカバー１１０）をサポート部材１６０Ｂの他端部（図１４紙面にて下端部）との間で挟持するように、サポート部材１６０Ｂの他端部に取り付けられる。
【０１０５】
このように、連結部材を、サポート部材１６０Ｂおよび２つの固定ネジ１５０（第２の固定ネジ、第３の固定ネジ）の３つの部材で、構成することにより、筐体構造１００の組み立てが容易になる。
【０１０６】
すなわち、本発明の筐体構造１００Ａでは、サポート部材１６０Ｂの一端部を第１の固定ネジで第２のカバー１３０の内面に取り付ける。これにより、サポート部材１６０Ｂは第２のカバー１３０の内面上に、第２のカバー１３０の内面から延出するように設けられる。このため、さらに第１のカバー１１０をケース１２０に取り付けた際に、固定ネジ１５０の取り付け箇所であるスペーサ部材１６０Ｂの他端部の雌ネジ部１６２を確認しながら、固定ネジ１５０をスペーサ部材１６０Ｂに取り付けることができる。したがって、上述のように、筐体構造１００Ａの組み立てが容易になる。
【０１０７】
また、本発明の第２の実施の形態における筐体構造１００Ａにおいて、第４の弾性部材（図１４紙面下側の固定ネジ１５０のネジ用弾性部材１５５）と、第５の弾性部材（図１４紙面上側の固定ネジ１５０のネジ用弾性部材１５５）とを備えてもよい。第４の弾性部材（図１４紙面下側の固定ネジ１５０のネジ用弾性部材１５５）は、第２の固定ネジ（図１４紙面下側の固定ネジ１５０）と一対のカバー（第１および第２のカバー１１０、１３０）の一方（第２のカバー１３０）との間に設けられている。第５の弾性部材（図１４紙面上側の固定ネジ１５０のネジ用弾性部材１５５）は、第３の固定ネジと前記一対のカバー（第１および第２のカバー１１０、１３０）の他方（第１のカバー１１０）との間に設けられている。そして、第２の固定ネジを第２のサポート部材の一端部に取り付けることにより、第４の弾性部材が圧縮される。また、第３の固定ネジを第２のサポート部材の他端部に取り付けることにより、第５の弾性部材が圧縮される。
【０１０８】
これにより、第４の弾性部材（図１４紙面下側の固定ネジ１５０のネジ用弾性部材１５５）が、固定ネジ１５０（特にネジ頭部１５１）と、第２のカバー１３０の外面と間で圧縮される。この結果、ネジ頭部１５１と、第２のカバー１３０の外面と間に隙間が生じることを防止できる。したがって、ネジ頭部１５１と、第２のカバー１３０の外面と間から、水や塵が入り込むことを防止できる。同様に、第５の弾性部材（図１４紙面上側の固定ネジ１５０のネジ用弾性部材１５５）が、固定ネジ１５０（特にネジ頭部１５１）と、第１のカバー１１０の外面と間で圧縮される。この結果、ネジ頭部１５１と、第１のカバー１１０の外面と間に隙間が生じることを防止できる。したがって、ネジ頭部１５１と、第１のカバー１１０の外面と間から、水や塵が入り込むことを防止できる。
【０１０９】
本発明の第２の実施の形態における筐体構造１００Ａは、第６の弾性部材（図１７紙面下側のサポート部材用弾性部材１６４）と、第７の弾性部材（図１７紙面上側のサポート部材用弾性部材１６４）とを備えている。第６の弾性部材（図１７紙面下側のサポート部材用弾性部材１６４）は、第２のサポート部材１６０Ｃの一端部と一対のカバー（第１および第２のカバー１１０、１３０）の一方（第２のカバー１３０）の間に設けられている。第７の弾性部材（図１７紙面上側のサポート部材用弾性部材１６４）は、第２のサポート部材１６０Ｃの他端部と一対のカバーの他方（第２のカバー１３０）の間に設けられている。第２の固定ネジ（図１４紙面下側の固定ネジ１５０）を第２のサポート部材１６０Ｃの一端部に取り付けることにより、第６の弾性部材（図１７紙面下側のサポート部材用弾性部材１６４）が圧縮される。第３の固定ネジ（図１４紙面上側の固定ネジ１５０）を第２のサポート部材１６０Ｃの他端部に取り付けることにより、第７の弾性部材（図１７紙面上側のサポート部材用弾性部材１６４）が圧縮される。
【０１１０】
このように、２つのサポート部材用弾性部材１６４の一方は、サポート部材１６０Ｃのサポート軸部１６１と、第２のカバー１３０の間に設けられる。また、２つのサポート部材用弾性部材１６４の他方は、サポート部材１６０Ｃのサポート軸部１６１と、第１のカバー１１０の間に設けられる。そして、２つの固定ネジ１５０をサポート部材１６０Ｃに取り付けることにより、２つのサポート部材用弾性部材１６４はそれぞれ圧縮される。これにより、サポート部材１６０Ｃと、第１および第２のカバー１１０、１３０の間の隙間から、水や塵が入り込むことを防止することができる。
【０１１１】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１１２】
１００    筐体構造
１００Ａ    筐体構造
１１０    第１のカバー
１１１    放熱用フィン
１１２    溝部
１１３    開口穴
１２０    ケース
１３０    第２のカバー
１３１    放熱用フィン
１３２    溝部
１３３    ネジ穴
１４０    弾性部材
１５０    固定ネジ
１５１    ネジ頭部
１５２    ネジ軸部
１５２ａ    不完全ネジ部
１５２ｂ    雄ネジ部
１５３    ワッシャー
１５４    弾性部材用カバー
１５５    ネジ用弾性部材
１６０    サポート部材
１６０Ａ    サポート部材
１６１    サポート軸部
１６２    雌ネジ部
１６３    雄ネジ部
１６４    サポート部材用弾性部材
９００    一般的な筐体構造
９１０    第１のカバー
９１１    放熱用フィン
９１３    ネジ穴
９２０    ケース
９２２    フランジ
９２３    ネジ穴
９３０    第２のカバー
９３１    放熱用フィン
９３３    ネジ穴
９４０    弾性部材
９５０    ネジ
【図１】
2016207781.tif 000003
【図２】
2016207781.tif 000004
【図３】
2016207781.tif 000005
【図４】
2016207781.tif 000006
【図５】
2016207781.tif 000007
【図６】
2016207781.tif 000008
【図７】
2016207781.tif 000009
【図８】
2016207781.tif 000010
【図９】
2016207781.tif 000011
【図１０】
2016207781.tif 000012
【図１１】
2016207781.tif 000013
【図１２】
2016207781.tif 000014
【図１３】
2016207781.tif 000015
【図１４】
2016207781.tif 000016
【図１５】
2016207781.tif 000017
【図１６】
2016207781.tif 000018
【図１７】
2016207781.tif 000019
【図１８】
2016207781.tif 000020
【図１９】
2016207781.tif 000021
【図２０】
2016207781.tif 000022
【図２１】
2016207781.tif 000023
【図２２】
2016207781.tif 000024
【図２３】
2016207781.tif 000025
【図２４】
2016207781.tif 000026
【図２５】
2016207781.tif 000027